(57)【特許請求の範囲】
【請求項１】
天板を支持する支柱に物品を掛止可能な掛止手段を設けたテーブルであって、
前記掛止手段は、前記支柱における前記天板を支持する支持部の一部が略フック形状に成形されて設けられ、該掛止手段は、前記支柱の立設方向に沿って上方を向く突出部を有するとともに、前記支持部は、前記支柱の一部を構成する脚部と別部材となって設けられることを特徴とするテーブル。
【請求項２】
前記略フック形状は、斜めに略Ｕ字状に切り欠かれた形状となっていることを特徴とする請求項１に記載のテーブル。
【請求項３】
前記突出部には、前記物品の掛止方向に沿う傾斜面が形成されることを特徴とする請求項１または２に記載のテーブル。
【請求項４】
前記支持部は、横断平面視で略扁平形状をなし、該支持部の幅寸法が短い側面に前記突出部が形成されることを特徴とする請求項１ないし３のいずれかに記載のテーブル。
【請求項５】
前記支柱には、前記突出部の上方位置に、前記物品の掛止方向に沿う案内面が形成されることを特徴とする請求項１ないし４のいずれかに記載のテーブル。
【請求項６】
前記支柱には、前記突出部の上方位置に、前記物品の掛止方向に沿う案内面が形成されるとともに、前記突出部には、前記物品の掛止方向に沿う傾斜面が形成されており、前記案内面よりも前記傾斜面がせり出されることを特徴とする請求項１ないし５のいずれかに記載のテーブル。
【請求項７】
前記突出部は、前記支柱における外方側に形成されることを特徴とする請求項１ないし６のいずれかに記載のテーブル。
【請求項８】
前記突出部は、前記支柱における内方側に形成されることを特徴とする請求項１ないし６のいずれかに記載のテーブル。
【請求項９】
前記天板の下方位置には、前記支持部同士を接続する横木が設けられ、前記突出部は、前記支持部における前記横木の接続された部位から離れた、前記掛止手段の横木と干渉することがない部位に設けられることを特徴とする請求項１ないし８のいずれかに記載のテーブル。
【発明の詳細な説明】
【技術分野】
【０００１】
本発明は、天板を支持する支柱に物品を掛止可能な掛止手段を設けたテーブルに関する。
【背景技術】
【０００２】
従来の支柱付家具（テーブル）は、支柱の上端面を被覆するキャップ（掛止手段）に、鞄等の被掛止体を引っ掛ける引掛部を形成し、鞄等（物品）を保持できるようになっている（例えば、特許文献１参照）。
【先行技術文献】
【特許文献】
【０００３】
【特許文献１】特許第４３０１８５０号公報（第６頁、第５図）
【発明の概要】
【発明が解決しようとする課題】
【０００４】
特許文献１に記載の支柱付家具（テーブル）は、家具の使用者がキャップに鞄等の物品を掛けて使用できるため便利であるが、物品の重さによりキャップ（掛止手段）が変形してしまう虞があり、かつ物品を掛けたり取り外したりする動きにより、キャップには水平方向に力が加わるため、繰り返し長期間使用した場合にキャップが支柱から外れてしまったりする虞もあり、物品を保持するキャップ自体の強度が弱いという問題がある。
【０００５】
本発明は、このような問題点に着目してなされたもので、支柱を利用して物品を掛止させる掛止手段が設けられたテーブルにおいて、充分な強度を有し、かつ長年の使用に耐えることができるテーブルを提供することを目的とする。
【課題を解決するための手段】
【０００６】
前記課題を解決するために、本発明のテーブルは、
天板を支持する支柱に物品を掛止可能な掛止手段を設けたテーブルであって、
前記掛止手段は、前記支柱における前記天板を支持する支持部の一部が略フック形状に成形されて設けられ、該掛止手段は、前記支柱の立設方向に沿って上方を向く突出部を有するとともに、前記支持部は、前記支柱の一部を構成する脚部と別部材となって設けられることを特徴としている。
この特徴によれば、物品を掛止可能な掛止手段が、天板を支持するための強度の高い材質で形成された支柱の支持部と一体的に設けられ、掛止手段が充分な強度を有するばかりか、掛止手段の耐久性が向上されて長年の使用に耐えることができ、かつ突出部が支柱よりも水平方向に突出しないように掛止手段を形成することができ、テーブルの使用時等に突出部が邪魔にならずに済むようになる。また支持部と脚部とを互いに別の材質にすることができ、支持部は強度を重視した材質で形成するとともに、脚部は意匠性またはコストパフォーマンス性を重視した材質で形成し、このような異なる材質の組み合わせとすることができる。
【０００７】
本発明のテーブルは、
前記略フック形状は、斜めに略Ｕ字状に切り欠かれた形状となっていることを特徴としている。
この特徴によれば、突出部を有する掛止手段を容易に形成することができ、かつ支持部の形状を支柱と一体的に立設方向に延設される柱状の部位に形成でき、支持部の見栄えが向上される。
【０００９】
本発明のテーブルは、
前記突出部には、前記物品の掛止方向に沿う傾斜面が形成されることを特徴としている。
この特徴によれば、物品を掛止手段に掛ける際に、物品が傾斜面に沿って移動して保持されるため、物品を掛け易いとともに物品が掛止手段に確実に保持される。
【００１０】
本発明のテーブルは、
前記支持部は、横断平面視で略扁平形状をなし、該支持部の幅寸法が短い側面に前記突出部が形成されることを特徴としている。
この特徴によれば、支持部における突出部から反対側までの長さを長く確保できるようになり、掛止手段を奥行きがあるフック状に形成できるため、しっかりと物品を掛止手段に掛けることができ、かつ突出部の幅寸法を小さくして手掛部が小さい鞄等の物品でも掛けることができる。
【００１１】
本発明のテーブルは、
前記支柱には、前記突出部の上方位置に、前記物品の掛止方向に沿う案内面が形成されることを特徴としている。
この特徴によれば、物品を掛けたり取り外したりする際に、物品が案内面により案内され、使用者の手や物品が天板にぶつからずにスムーズに物品を移動させることができる。
【００１２】
本発明のテーブルは、
前記支柱には、前記突出部の上方位置に、前記物品の掛止方向に沿う案内面が形成されるとともに、前記突出部には、前記物品の掛止方向に沿う傾斜面が形成されており、前記案内面よりも前記傾斜面がせり出されることを特徴としている。
この特徴によれば、物品が傾斜面に沿って移動して保持されるため物品が掛け易くなり、かつ物品を案内する案内面が、物品を傾斜面に沿わせる際に、邪魔にならずに済むようになる。
【００１３】
本発明のテーブルは、
前記突出部は、前記支柱における外方側に形成されることを特徴としている。
この特徴によれば、テーブルの外方から物品を掛止手段に掛け易いとともに、使用者がテーブルに設けられた椅子に座る場合にも、掛止手段及び物品が使用者の足元の邪魔にならずに済み、かつ掛止手段に物品を掛けた状態で物品に手を延ばしてアクセスすることができる。
【００１４】
本発明のテーブルは、
前記突出部は、前記支柱における内方側に形成されることを特徴としている。
この特徴によれば、掛止手段に掛けられた物品がテーブルの外方側を通過する人の邪魔にならずに済むばかりか、複数のテーブルを連設する際に掛止手段に掛けられた物品が邪魔にならずに済むようになり、かつテーブル上で液体をこぼしても物品が汚れる虞がなくなる。
【００１５】
本発明のテーブルは、前記天板の下方位置には、前記支持部同士を接続する横木が設けられ、前記突出部は、前記支持部における前記横木の接続された部位から離れた、前記掛止手段の横木と干渉することがない部位に設けられることを特徴としている。
この特徴によれば、掛止手段が横木を干渉することがないとともに、横木に妨げられることなく物品を掛止手段に掛止できる。
【図面の簡単な説明】
【００１６】
【図１】実施例１におけるテーブルを示す斜視図である。
【図２】テーブルを示す正面図である。
【図３】支柱の支持部を示す側面図である。
【図４】支柱を示す平面図である。
【図５】支柱の支持部を示す斜視図である。
【図６】実施例２におけるテーブルを示す斜視図である。
【図７】テーブルを示す正面図である。
【図８】支柱の支持部を示す側面図である。
【図９】支柱を示す平面図である。
【図１０】支柱の支持部を示す斜視図である。
【図１１】実施例３における支持部を示す側面図である。
【図１２】実施例４における支持部を示す側面図である。
【図１３】実施例５における支持部を示す側面図である。
【図１４】実施例６における支持部を示す側面図である。
【図１５】実施例７における支持部を示す側面図である。
【図１６】変形例における支柱を示す平面図である。
【図１７】変形例における支柱を示す平面図である。
【発明を実施するための形態】
【００１７】
本発明に係るテーブルを実施するための形態を実施例に基づいて以下に説明する。
【実施例１】
【００１８】
実施例１に係るテーブルにつき、図１から図５を参照して説明する。図１の符号１は、本発明の適用されたテーブルである。テーブル１には、天板２と、天板２を支持する４本の支柱３と、が設けられている。支柱３は、脚部４と、天板２と脚部４とを接続する支持部５と、から構成されている。また、支持部５には、鞄６等の物品の手掛部６ａが掛けられる略フック形状をなす掛止手段７が設けられている。
【００１９】
図１及び図２に示すように、テーブル１の左側の２本の支柱３には、脚部４の下端部に床面を移動可能なキャスター８が設けられており、右側の天板２端縁を持ち上げることでテーブル１を容易に移動させることができる。また、脚部４は、上部が開口するパイプ状をなしている（図５参照）。
【００２０】
図２及び図３に示すように、天板２の底面には横木９が設けられており、この横木９の両端部は略筒状をなし、支柱３の支持部５にそれぞれ連結されている。テーブル１の平面視で４本の横木９が略四角形をなすように配置され、天板２及び支柱３が補強されている。
【００２１】
図３及び図４に示すように、支持部５は、天板２に当接する当接部５ａと、上下方向に立設される立設部５ｂと、立設部５ｂの下方で脚部４と連結される連結部５ｃと、当接部５ａと立設部５ｂとの間に延びる延出部５ｄと、横木９が連結される横木連結部５ｊと、からなる。
【００２２】
立設部５ｂは、当接部５ａよりも外方かつ下方に位置しており、延出部５ｄは当接部５ａから立設部５ｂに向かって傾斜している。立設部５ｂの下部は、断面視で脚部４と同径の円形状をなしており、連結部５ｃが脚部４内に嵌合されると、立設部５ｂの下端が脚部４の上端に当接して支持部５と脚部４とが連結される。そして、支持部５における当接部５ａの上面である当接面５ｅと天板２とが螺着されることで、支柱３と天板２が接続される。
【００２３】
当接面５ｅは平面視で略扁平六角形をなしており、延出部５ｄは、その一辺と立設部５ｂとを繋ぐように形成されている。また、延出部５ｄの側部には、横木連結部５ｊが形成されており、横木９の一端部が横木連結部５ｊに嵌合して螺着され、支持部５と横木９が連結されている。
【００２４】
図３に示すように、支持部５における立設部５ｂには、上方に突出する突出部５ｆが形成されており、この突出部５ｆは、支持部５における天板２の角部と同一側方（外方側）に形成されている。
【００２５】
また、突出部５ｆには、鞄６の手掛部６ａの掛止方向に沿うように傾斜された傾斜面５ｇが形成されており、延出部５ｄの外側面５ｈと傾斜面５ｇの間は、水平な水平面５ｉとなっている。外側面５ｈと水平面５ｉと傾斜面５ｇとによって、鞄６の手掛部６ａを掛止可能な掛止手段７が構成されている。
【００２６】
尚、支柱３は、平面視で天板２の角部とほぼ同じ位置に配置されており、支柱３と、支柱３に形成された掛止手段７と、が天板２の下に隠れて上方から見えなくなるため美観に優れている。また、掛止手段７がテーブル１の外方側に向いているため、鞄６の手掛部６ａを掛け易いとともに、使用者がテーブル１に設けられた椅子（図示略）に座る使用者にとって掛止手段７及び鞄６が邪魔にならずに済む。更に、使用者が掛止手段７に鞄６を掛けた状態で鞄６に手を延ばしてアクセスすることができ、鞄６の中の物を取り出し易くなる。
【００２７】
例えば、鞄６の手掛部６ａを掛止手段７に掛ける際には、手掛部６ａが突出部５ｆから傾斜面５ｇに沿って移動して水平面５ｉで止まり、延出部５ｄの外側面５ｈと傾斜面５ｇの間で手掛部６ａが確実に保持される。
【００２８】
このように、支柱３を構成する支持部５における立設部５ｂの一部に突出部５ｆが形成され、立設部５ｂと脚部４は同径のため一本の支柱のように連結される。そのため、突出部５ｆは脚部４及び支持部５よりも外側にはみ出ることがなく、テーブル１の使用時や運搬時に突出部５ｆが邪魔にならないようになっている。
【００２９】
また、支持部５は、支柱３の一部を構成する脚部４と別部材となって設けられることで、支持部５と脚部４とを互いに別の材質にすることができ、支持部５は、強度を重視した金属無垢材で形成するとともに、脚部４は、意匠性を重視した木材等、若しくは、コストパフォーマンス性を重視したパイプ状の部材で形成し、このような異なる材質の組み合わせとすることができる。
【００３０】
また、支持部５は、ダイカスト鋳造法によって製造された金属の無垢素材となっている。そのため、強度を有する突出部５ｆ等の形成加工がし易いとともに、掛止手段７は支柱３と一体的に形成されるため、掛止手段７の耐久性が向上し、掛止手段７に重量の重い鞄６が掛けられても掛止手段７が変形したり支柱３から外れてしまうことがない。
【００３１】
また、支持部５における掛止手段７は、横木９から離れた部位に形成されているため、掛止手段７が横木９を干渉することがないとともに、横木９に妨げられることなく鞄６の手掛部６ａを掛止手段７に掛止することができる。
【実施例２】
【００３２】
次に、実施例２に係るテーブル１０につき、図６から図１０を参照して説明する。尚、前記実施例に示される構成部分と同一構成部分に付いては同一符号を付して重複する説明を省略する。
【００３３】
図６に示すように、テーブル１０には、前記実施例１と同様に天板２が設けられ、天板２は支柱１１に支持されている。図７に示すように、支柱１１は支持部１２と脚部１３から構成されている。また、支持部１２には、略フック形状をなす掛止手段１４が設けられており、掛止手段１４は、天板２の底面に設けられた横木９から離れた部位に形成されている。
【００３４】
図８に示すように、支持部１２は略逆向きＬ字状に形成されており、天板２に当接して螺着される当接部１２ａと、上下方向に立設される立設部１２ｂと、立設部１２ｂの下方で脚部１３と連結される連結部１２ｃと、横木９と連結される横木連結部１２ｊと、から構成されている。筒状の端部を有する横木９が横木連結部１２ｊに嵌合して螺着され、支持部１２と横木９が連結されている。
【００３５】
図９及び図１０に示すように、立設部１２ｂの下部及び脚部１３は、横断平面視で同径の扁平楕円形状をなしており、立設部１２ｂより若干小さい連結部１２ｃが脚部１３内に嵌合し、立設部１２ｂの下端が脚部１３の上端に当接して支持部１２と脚部１３とが連結されるようになっている。そして、支持部１２における当接部１２ａと天板２とが螺着されることで、支柱１１と天板２が接続される。
【００３６】
図１０に示すように、断面視で扁平楕円形状をなす立設部１２ｂの前後幅をａとして、左右幅をｂとすると、左右幅ｂよりも長い前後幅ａを有する部位を長辺側部１２ｄとし、左右幅ｂを有する部位を短辺側部１２ｅ（幅寸法が短い側面）とする。
【００３７】
立設部１２ｂには、外方側から下方に向かって斜めに略Ｕ字状に切り欠かれた形状をなす掛止手段１４が形成されており、この掛止手段１４は、前後幅ａよりも短い左右幅ｂを有する短辺側部１２ｅに形成されている。
【００３８】
立設部１２ｂを略Ｕ字状に切り欠くことで、立設部１２ｂには上方を向く突出部１２ｆが形成される。突出部１２ｆには、鞄６の手掛部６ａの掛止方向に沿う傾斜面１２ｇが形成されるとともに、突出部１２ｆの上方位置に、鞄６の手掛部６ａの掛止方向に沿う案内面１２ｈが形成される。尚、掛止手段１４は、上方を向く突出部１２ｆと、この突出部１２ｆに形成される傾斜面１２ｇと、この傾斜面１２ｇに対して略平行をなすように形成される案内面１２ｈと、によって構成されている。
【００３９】
鞄６の手掛部６ａを掛止手段１４に掛ける際に、鞄６の手掛部６ａが傾斜面１２ｇに沿って下方に移動して保持されるため、手掛部６ａを掛け易いとともに手掛部６ａが掛止手段１４に確実に保持される。また、掛止方向に沿う案内面１２ｈによって、手や鞄６の手掛部６ａが天板２にぶつからずにスムーズに鞄６の手掛部６ａを掛止手段１４に掛けたり掛止手段１４から取り外すことができるようになる。更に、使用者がテーブル１０に設けられた椅子（図示略）に座った場合に、使用者が掛止手段１４に鞄６を掛けた状態で鞄６に手を延ばしてアクセスすることができ、鞄６の中の物を取り出し易くなる。
【００４０】
また、前後幅ａと左右幅ｂのうち、より短い短辺側部１２ｅに掛止手段１４を形成することにより、突出部１２ｆから反対側の短辺側部１２ｅまでの長さが長くなり、掛止手段１４を深く形成できるため、鞄６の手掛部６ａが掛止手段１４の奥まで掛けられ、確実に掛止される。更に、突出部１２ｆの幅を小さくすることで手掛部６ａが小さい鞄６でも掛けることができるようになる。
【実施例３】
【００４１】
次に、実施例３に係るテーブル１０につき、図１１を参照して説明する。尚、本実施例は、前記実施例２と比較して支持部が異なるのみであるため、前記実施例２に示される構成部分と同一構成部分に付いては同一符号を付して重複する説明を省略する。
【００４２】
図１１に示すように、支持部１５は、当接部１５ａと立設部１５ｂと連結部１５ｃと横木連結部１５ｊとから構成されている。また、立設部１５ｂには、内側方から下方に向かって斜めＵ字状に切り欠かれた略フック形状をなす掛止手段１６が形成されている。尚、掛止手段１６は、突出部１５ｆと傾斜面１５ｇと案内面１５ｈとによって構成されている。
【００４３】
この掛止手段１６に鞄６の手掛部６ａを掛けた際に、鞄６がテーブル１０の内側に納まるため、テーブル１０の近傍を通過する人が鞄６にぶつかったり邪魔になることがない。また、テーブル１０上に置かれた飲料やインク等がこぼれた場合にも鞄６が汚れることを防止できる。更に、複数のテーブル１０を連設する際に掛止手段１６に掛けられた鞄６が邪魔にならずに済むようになる。
【実施例４】
【００４４】
次に、実施例４に係るテーブル１０につき、図１２を参照して説明する。尚、本実施例は、前記実施例２と比較して支持部が異なるのみであるため、前記実施例２に示される構成部分と同一構成部分に付いては同一符号を付して重複する説明を省略する。
【００４５】
図１２に示すように、支持部１７は、当接部１７ａと立設部１７ｂと連結部１７ｃと横木連結部１７ｊとから構成されており、前記実施例２及び３と比較すると、立設部１７ｂの高さ幅は立設部１５ｂよりも大きく形成されている。また、立設部１７ｂには、外方側から切り欠かれた略フック形状をなす２つの掛止手段１４，１４、及び内側方から切り欠かれた略フック形状をなす２つの掛止手段１６，１６が設けられている。
【００４６】
つまり、本実施例における支持部１７は、前記実施例２及び３の支持部１２，１５を合わせ持つような形態となっている。そのため、鞄６の手掛部６ａの長さや物品に応じて掛ける場所を適宜選択できるとともに、テーブル１０の外側と内側に複数の物品を一度に掛けることもできるようになり、利便性が向上する。
【実施例５】
【００４７】
次に、実施例５に係るテーブル１０’につき、図１３を参照して説明する。尚、前記実施例に示される構成部分と同一構成部分に付いては同一符号を付して重複する説明を省略する。
【００４８】
図１３に示すように、支持部１２の上部には、横木連結部１２ｊが形成され、この横木連結部１２ｊに連結される横木９の上面に、天板受具１８が取り付けられる。この天板受具１８に天板２が支持されている。尚、本発明の支持部は、天板２を直接支持するのみならず、本実施例のように、天板受具１８が設けられた横木９を介して天板２を支持する支持部１２の構成も本発明の支持部に含まれる。
【００４９】
また、支持部１２には、突出部１２ｆの上方位置に、鞄６の手掛部６ａの掛止方向に沿う案内面１２ｈが形成されるとともに、突出部１２ｆには、手掛部６ａの掛止方向に沿う傾斜面１２ｇが形成されており、案内面１２ｈよりも傾斜面１２ｇが外方側にせり出しており、突出部１２ｆが所定のせり出し寸法ｄを有している。そのため、手掛部６ａが傾斜面１２ｇに沿って移動して保持されるため手掛部６ａが掛け易くなり、かつ手掛部６ａを案内する案内面１２ｈが、手掛部６ａを傾斜面１２ｇに沿わせる際に、邪魔にならずに済むようになる。
【実施例６】
【００５０】
次に、実施例６に係るテーブル１’につき、図１４を参照して説明する。尚、前記実施例に示される構成部分と同一構成部分に付いては同一符号を付して重複する説明を省略する。
【００５１】
図１４に示すように、支持部５の上部から水平に延出される延出部５ｄには、横木連結部５ｊが形成され、この横木連結部５ｊに連結される横木９の上面に、天板受具１８が取り付けられる。この天板受具１８に天板２が支持されている。尚、本発明の支持部は、天板２を直接支持するのみならず、本実施例のように、天板受具１８が設けられた横木９を介して天板２を支持する支持部５の構成も本発明の支持部に含まれる。
【００５２】
また、支持部５における立設部５ｂには、上方に突出する突出部５ｆが形成されており、この突出部５ｆには、鞄６の手掛部６ａの掛止方向に沿うように傾斜された傾斜面５ｇが形成されている。そして、延出部５ｄの上面である水平面５ｉと傾斜面５ｇとによって、鞄６の手掛部６ａを掛止可能な掛止手段７が構成されている。このようにすることで、幅の広い手掛部６ａであっても掛止手段７に掛けられるようになる。
【実施例７】
【００５３】
次に、実施例７に係るテーブル１につき、図１５を参照して説明する。尚、前記実施例に示される構成部分と同一構成部分に付いては同一符号を付して重複する説明を省略する。
【００５４】
図１５に示すように、支持部５における立設部５ｂには、上方に突出する突出部５ｆが形成されており、この突出部５ｆは、支持部５における天板２の角部と同一側方（外方側）に形成されている。
【００５５】
また、突出部５ｆには、鞄６の手掛部６ａの掛止方向に沿うように傾斜された傾斜面５ｇが形成されており、延出部５ｄの外側面５ｈと傾斜面５ｇとにより略Ｖ字形状をなす掛止手段７が構成されている。このようにすることで、掛止手段７に掛止された手掛部６ａがぐらつかないようになる。尚、突出部５ｆの突出寸法は小さくてもよく、傾斜面５ｇの傾斜が多少でも傾斜していれば、鞄６の手掛部６ａを掛止することができる。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、天板２を支持する支柱３，１１を４本設けているが、天板２の大きさや用途に応じて増減可能であり、３本でもよいし５本以上設けてもよい。
【００５８】
また、前記実施例１及び２では、掛止手段７，１４が形成される支持部５，１２は、ダイカスト鋳造法によって製造された金属の無垢素材となっているが、支持部５，１２をガラス繊維強化プラスチックを用いてインジェクション成形の中空素材等で形成するようにしてもよい。
【００５９】
また、前記実施例１及び２では、天板２の角部に設けられる支柱３，１１の支持部５，１２に掛止手段７，１４が形成されているが、天板２の中央部に支柱３，１１を設け、この支柱３，１１の支持部５，１２に掛止手段７，１４を形成する構成にしてもよい。
【００６０】
また、前記実施例４では、外向きの掛止手段１４と内向きの掛止手段１６を２つずつ設けているが、掛止手段１４と掛止手段１６の数は異なっていてもよいし、いくつ設けてもよい。
【００６１】
尚、前記実施例２では、支持部１２が横断平面視で扁平楕円形状をなし、この支持部１２において、前後幅ａよりも幅寸法が短い左右幅ｂの部位に掛止手段１４が形成されているが、例えば、図１６の変形例に示すように、支持部１２’が横断平面視で略三角形状をなし、この三角形の長手幅ａよりも短い幅寸法ｂを有する三角形の頂点の部位（幅寸法が短い側面）に掛止手段１４’を形成してもよい。更に、例えば、図１７の変形例に示すように、支持部１２’’が横断平面視で略三角形状をなし、この三角形の長手幅ａよりも短い幅寸法ｂを有する三角形の底辺の部位（幅寸法が短い側面）に掛止手段１４’’を形成してもよい。
【符号の説明】
【００６２】
１，１０          テーブル
２                天板
３，１１          支柱
４                脚部
５                支持部
５ａ              当接部
５ｂ              立設部
５ｃ              連結部
５ｄ              延出部
５ｅ              当接面
５ｆ              突出部
５ｇ              傾斜面
５ｈ              外側面
５ｉ              水平面
５ｊ              横木連結部
６                鞄
６ａ              手掛部
７，１４，１６    掛止手段
９                横木
１２              支持部
１２ａ            当接部
１２ｂ            立設部
１２ｃ            連結部
１２ｄ            長辺側部
１２ｅ            短辺側部
１２ｆ，１５ｆ    突出部
１２ｇ，１５ｇ    傾斜面
１２ｈ，１５ｈ    案内面
１３              脚部
１５，１７        支持部
１５ａ，１７ａ    当接部
１５ｂ，１７ｂ    立設部
１５ｃ，１７ｃ    連結部
１８              天板受具
【図１】
0005583471.tif 000002
【図２】
0005583471.tif 000003
【図３】
0005583471.tif 000004
【図４】
0005583471.tif 000005
【図５】
0005583471.tif 000006
【図６】
0005583471.tif 000007
【図７】
0005583471.tif 000008
【図８】
0005583471.tif 000009
【図９】
0005583471.tif 000010
【図１０】
0005583471.tif 000011
【図１１】
0005583471.tif 000012
【図１２】
0005583471.tif 000013
【図１３】
0005583471.tif 000014
【図１４】
0005583471.tif 000015
【図１５】
0005583471.tif 000016
【図１６】
0005583471.tif 000017
【図１７】
0005583471.tif 000018